(57)【要約】【課題】  利用者の運動エネルギーを有効活用し、測定器及び監視装置間の無線通信のコリジョンを抑制し、簡易で低消費電力なバイタルデータ監視システムを提供する。【解決手段】  本発明のバイタルデータ監視システムは、バイタルサインのデータを測定し、バイタルデータとして測定データを無線にて発信するバイタルデータ測定器と、測定データを受信して利用者毎に管理するバイタルデータ監視装置とを有するバイタルデータ監視システムであり、バイタルデータ測定器が、携帯している人間のバイタルデータを検出する測定部と、検出されたバイタルデータを前記バイタル監視装置に対して発信する発信部と、人間が運動するときに生じる運動エネルギーを用いて発電し、各部に電力を供給する発電部とを有し、バイタルデータ監視装置が、バイタルデータを受信する受信部と、バイタルデータが識別ＩＤ毎に対応して記憶されるバイタルデータ記憶部とを有する。【選択図】    図１
2006305216.tif 000002
【特許請求の範囲】
【請求項１】
バイタルサインのいずれかのデータを測定し、バイタルデータとして測定データを無線にて発信する、利用者に携帯されるバイタルデータ測定器と、この測定データを受信して利用者ごとに管理するバイタルデータ監視装置とを有するバイタルデータ監視システムであり、
前記バイタルデータ測定器が、
携帯している人間のバイタルデータを検出する測定部と、
検出されたバイタルデータを前記バイタル監視装置に対して発信する発信部と、
人間が運動するときに生じる運動エネルギーを用いて発電し、各部に電力を供給する発電部と
を有し、
前記バイタルデータ監視装置が、
前記バイタルデータを受信する受信部と、
前記バイタルデータが識別ＩＤ毎に対応して記憶されるバイタルデータ記憶部と
を有することを特徴とするバイタルデータ監視システム。
【請求項２】
疑似乱数発生回路が生成する乱数、または前記発電部により発生し、コンデンサに蓄積される電荷による電圧値から算出した乱数により、前記発信部におけるバイタルデータの発信タイミングの計算を行う制御部を有することを特徴とする請求項１記載のバイタルデータ監視システム。
【請求項３】
バイタルサインのいずれかのデータを測定し、バイタルデータとして測定データを無線にて発信する、利用者に携帯されるバイタルデータ測定器であり、
携帯している人間のバイタルデータを検出する測定部と、
検出されたバイタルデータを前記バイタル監視装置に対して発信する発信部と、
人間が運動するときに生じる運動エネルギーを用いて発電し、各部に電力を供給する発電部と
を有することを特徴とするバイタルデータ測定器。
【請求項４】
疑似乱数発生回路が生成する乱数、または前記発電部により発生し、コンデンサに蓄積される電荷による電圧値から算出した乱数により、前記発信部におけるバイタルデータの発信タイミングの計算を行う制御部を有することを特徴とする請求項３に記載のバイタルデータ測定器。
【請求項５】
前記発電部が圧電素子により構成され、振動の運動エネルギーを電気エネルギに変換して発電を行うことを特徴とする請求項３または請求項４に記載のバイタルデータ測定器。
【請求項６】
前記発電部が静電誘導を用いた振動型発電素子により構成され、振動の運動エネルギーを電気エネルギに変換して発電を行うことを特徴とする請求項３または請求項４に記載のバイタルデータ測定器。
【請求項７】
前記発電部が鎖交する磁束の時間的な変化による電磁誘導の原理を用いた発電回路により構成され、運動エネルギーを電気エネルギに変換して発電を行うことを特徴とする請求項３または請求項４に記載のバイタルデータ測定器。
【請求項８】
バイタルサインのいずれかのデータを測定し、バイタルデータとして測定データを無線にて発信する、利用者に携帯されるバイタルデータ測定方法であり、
測定部が携帯している人間のバイタルデータを検出する過程と、
発信部が検出されたバイタルデータを前記バイタル監視装置に対して発信する過程と、
発電部が人間が運動するときに生じる運動エネルギーを用いて発電し、各部に電力を供給する過程と
を有することを特徴とするバイタルデータ測定方法。
【発明の詳細な説明】
【技術分野】
【０００１】
本発明は、利用者毎に携帯されたバイタルデータ測定器から、測定された各利用者のバイタルデータを受信し、各利用者のバイタルデータを監視するバイタルデータ監視システム及びバイタルデータ測定器に関する。
【背景技術】
【０００２】
近年、健康増進を目的として、多くの人がスポーツジム等に通い、自身の体調を常にモニタしながら。様々な運動を行っている。
例えば、ヒューマンヘルスケアを目的として、人が歩数計等のセンサと無線装置を組み合わせた端末（無線タグ）を携帯して、運動量及び健康状態を上記バイタルデータとしてセンシングし、そのバイタルデータを無線でバイタルデータ監視装置（無線タグリーダ）に送信して測定データをパソコンで管理するシステムが開発されている（例えば、非特許文献１参照）。
【非特許文献１】http://www.tanita.co.jp/products/planet/index.html
【発明の開示】
【発明が解決しようとする課題】
【０００３】
しかしながら、このようなシステムをスポーツジム等、人がある程度密集する場所で運用する場合には、同時刻に複数の人から電波でデータを送るとコリジョンが発生してリーダが全てのデータを完全に受信できない。
これを防ぐためには、取得データをバイタルデータ測定器に一時保存することも考えられるが、有る程度のデータ量のバイタルデータを保持するため、外付けメモリへのバイタルデータの書き込みが必要となり、バイタルデータ測定器のバッテリなどで駆動されている場合など、消費電力の観点から不利である。
一方、スポーツクラブなどにおいて、人が運動することにより発生する低質な運動エネルギーは、有効活用されないまま捨てられているのが現状である。
【０００４】
本発明は、このような事情に鑑みてなされたもので、利用者のトレーニング（運動）において発生する無駄に捨てられている運動エネルギーを有効活用し、またバイタルデータ測定器及びバイタルデータ監視装置間の無線通信におけるコリジョンを抑制し、簡易でかつ低消費電力なバイタルデータ監視システム及びバイタルデータ測定器を提供することにある。
【課題を解決するための手段】
【０００５】
本発明のバイタルデータ監視システムは、バイタルサインのいずれかのデータを測定し、バイタルデータとして測定データを無線にて発信する、利用者に携帯されるバイタルデータ測定器と、この測定データを受信して利用者ごとに管理するバイタルデータ監視装置とを有するものであり、前記バイタルデータ測定器が、携帯している人間のバイタルデータを検出する測定部と、検出されたバイタルデータを前記バイタル監視装置に対して発信する発信部と、人間が運動するときに生じる運動エネルギーを用いて発電し、各部に電力を供給する発電部とを有し、前記バイタルデータ監視装置が、前記バイタルデータを受信する受信部と、前記バイタルデータが識別ＩＤ毎に対応して記憶されるバイタルデータ記憶部とを有することを特徴とする。
【０００６】
本発明のバイタルデータ監視システムは、疑似乱数発生回路が生成する乱数、または前記発電部により発生し、コンデンサに蓄積される電荷による電圧値から算出した乱数により、前記発信部におけるバイタルデータの発信タイミングの計算を行う制御部を有することを特徴とする。
【０００７】
本発明のバイタルデータ測定器は、バイタルサインのいずれかのデータを測定し、バイタルデータとして測定データを無線にて発信する、利用者に携帯されるものであり、携帯している人間のバイタルデータを検出する測定部と、検出されたバイタルデータを前記バイタル監視装置に対して発信する発信部と、人間が運動するときに生じる運動エネルギーを用いて発電し、各部に電力を供給する発電部とを有することを特徴とする。
【０００８】
本発明のバイタルデータ測定器は、疑似乱数発生回路が生成する乱数、または前記発電部により発生し、コンデンサに蓄積される電荷による電圧値から算出した乱数により、前記発信部におけるバイタルデータの発信タイミングの計算を行う制御部を有することを特徴とする。
【０００９】
本発明のバイタルデータ測定器は、前記発電部が圧電素子により構成され、振動の運動エネルギーを電気エネルギに変換して発電を行うことを特徴とする。
【００１０】
本発明のバイタルデータ測定器は、前記発電部が静電誘導を用いた振動型発電素子により構成され、振動の運動エネルギーを電気エネルギに変換して発電を行うことを特徴とする。
【００１１】
本発明のバイタルデータ測定器は、前記発電部が鎖交する磁束の時間的な変化による電磁誘導の原理を用いた発電回路により構成され、運動エネルギーを電気エネルギに変換して発電を行うことを特徴とする。
【００１２】
本発明のバイタルデータ測定方法は、バイタルサインのいずれかのデータを測定し、バイタルデータとして測定データを無線にて発信する、利用者に携帯されるバイタルデータの測定方法であり、測定部が携帯している人間のバイタルデータを検出する過程と、発信部が検出されたバイタルデータを前記バイタル監視装置に対して発信する過程と、発電部が人間が運動するときに生じる運動エネルギーを用いて発電し、各部に電力を供給する過程とを有することを特徴とする。
【発明の効果】
【００１３】
以上説明したように、本発明のバイタルデータ測定システムによれば、バイタルデータ測定器が発電部により利用者の運動による生じる運動エネルギ、例えば振動を利用して発電を行い、内部回路の駆動電力をまかない、かつバッテリ部の充電を行うことにより、寿命を延ばすことが可能となり、運動により発生する無駄に捨てられている運動エネルギーを有効活用することができ、簡易でかつ低消費電力なシステムを構成することができる。
【００１４】
また、本発明のバイタルデータ測定システムによれば、制御部が疑似乱数発生回路に生成される乱数、またはコンデンサ部に蓄えられる電荷量、すなわちコンデンサの両端の電圧値により、所定の演算により生成される乱数により測定部の測定したバイタルデータを送信するタイミングを生成するため、バイタルデータ測定器からバイタルデータ監視装置に対する無線通信によるバイタルデータ送信において、バイタルデータ測定器間のバイタルデータ送信のコリジョンを抑制し、効率的なバイタルデータの送受信を行うことができる。
【発明を実施するための最良の形態】
【００１５】
＜第１の実施形態＞
以下、本発明の第１の実施形態によるバイタルデータ監視システムを図面を参照して説明する。図１は同実施形態によるバイタルデータ監視システムの構成例を示す概念図である。この図において、各利用者はバイタルデータ測定器（例えば、センサ付きの無線タグ）１を携帯している。
このバイタルデータ測定器１は、例えば、小電力無線を用いたＲＦＩＤタグ（無線タグ）などの無線機能を有するものであり、バイタルデータを測定するセンサが設けられており、所定の時間間隔にて、この測定されたバイタルデータをバイタルデータ監視装置に対して、所定の周波数の無線により発信する。
バイタルデータ監視装置２は、各バイタルデータ測定器１からのバイタルデータを、各バイタルデータ測定器１の識別番号に対応して、内部の記憶部に記憶し、各利用者のバイタルデータの監視及び管理を行う。
【００１６】
次に、図２を参照して、バイタルデータ測定器１を詳細に説明する。図２は、図１におけるバイタルデータ測定器１の構成例を示すブロック図である。また、ここで、バイタルデータとしては、血圧，脈拍，心電図，血中酸素濃度，血糖値及び体温を含む生体の機能を示すデータである。
図に示すように、バイタルデータ測定器１は、測定部１１，発信部１２，受信部１３，記憶部１４，発電部１５，発電素子１６，コンデンサ部１７，制御部１８，バッテリ部１９から構成されている。
【００１７】
測定部１１は、例えば、血圧センサ，脈拍センサ，心電センサ，血中酸素濃度センサ，血糖値センサ及び体温センサなどのバイタルデータを取得するセンサである。ここで、測定値１１は、血圧，血中酸素濃度，血糖値，体温などのデータを対応する電圧値で出力し、脈拍を所定の時間間隔（例えば、１分間）の脈拍値、心電図を所定の時間間隔でサンプリングした時系列な電圧値（例えば、１０ｍ秒毎に１分間サンプリングした時系列な電圧値群）として、記憶部１４に記憶させる（格納する）。
【００１８】
発信部１２は、所定のタイミング毎に、記憶部１４に記憶されたバイタルデータを読み出し、バイタルデータ監視装置２へ発信する。このとき、発信部１２は、記憶部１４からバイタルデータ測定器１の識別番号を読み出し、バイタルデータにこの識別番号を付加して発信する。
受信部１３は、バイタルデータ監視装置２からの制御信号のデータ、例えば、バイタルデータの発信を指示するデータや、またはバイタルデータ測定器１からのバイタルデータを正常に受信したか否かを示すデータを受信する。
【００１９】
記憶部１４には、測定部１１が測定したバイタルデータを、サンプリングタイミングが新しい方から所定の回数分が記憶され、かつ、各バイタルデータ測定器１を識別する識別番号が記憶されている。
発電部１５は、発電素子１６及びコンデンサ部１７を有しており、利用者の運動により発生する運動エネルギを電気エネルギに変換することで、発電動作を行う。
【００２０】
ここで、発電素子は、例えば、利用者が運動することにより発生する振動エネルギを電気エネルギに変換する。また、この発電素子には、外部からの振動を増幅し、発電素子に増幅された振動を供給する増幅器をもうけてもよい。
すなわち、上記発電素子は、振動により加えられる圧力を電気エネルギに変化させる圧電変換素子であり、また、振動により鎖交する磁束の時間的な変化が起こるようにし、電磁誘導の原理により振動を電気エネルギに変換する誘導変換素子であり、さらに、低周波の振動を効率的に電気エネルギに変換する、エレクトレットを用いた静電誘導を発電原理とした振動型発電素子である。
【００２１】
コンデンサ部１７は、発電素子１６が発電した電気エネルギを蓄積、すなわち電荷の蓄積を行うバッファ機能を有し、発電素子１６の発電により発生する電荷量に対応した容量値を有している。すなわち、コンデンサ部１７の容量値は、所定の時間間隔、例えば測定されたバイタルデータを発信する時間間隔において、各回路を駆動するために必要な電圧値が得られるように設定される。
【００２２】
制御部１８は、疑似乱数発生回路を有し、この疑似乱数発生回路が発生する乱数により、バイタルデータの発信タイミングを計算する。例えば、制御部１８は、上記乱数に所定の単位時間（２ｍ秒など）を乗算して、発信タイミングを計算する。
また、制御部１８は、上記疑似乱数発生回路を有さず、コンデンサ部１７に蓄積される電荷による電圧値を用いて乱数を発生するようにしてもよい。すなわち、制御部１８は、「（Ｖ×１００）mod Ｎ」の式により乱数を発生する。ここで、Ｖに乗じている１００は、Ｖが小数点以下であるばあい、整数値にするために用いている。
【００２３】
上記式において、Ｖはコンデンサ部１７のコンデンサの両端の電圧値であり、modはモジュロ演算であり、Ｎはバイタルデータ測定器１の総数，またはバイタルデータ測定器１間のコリジョンの確率から決定される数，もしくは用途によって設定される数である。
そして、受信部１３はバイタルデータ監視装置２から、バイタルデータの発信を指示する制御信号が入力された後、上記発信タイミングの時間が経過した後に、発振部１２にバイタルデータの発信を行うよう制御する。
【００２４】
発信部１２は、バイタルデータ及び識別番号を記憶部１４から読み出し、バイタルデータ監視装置１へ発信する。
バッテリ部１９は、バイタルデータ測定器１内の各部に駆動電力を供給し、上記コンデンサ部１７が所定の電圧値を超えた場合、すなわちバッテリ部１９の電圧値を超えた場合、発電部１５により、コンデンサ部１７が所定の電圧を超えている間、所定の電圧値まで充電される。
【００２５】
次に、図３を参照して、バイタルデータ監視装置２を詳細に説明する。図３は、図１におけるバイタルデータ監視装置２の構成例を示すブロック図である。
この図に示すように、バイタルデータ監視装置２は、発信部２１，制御部２２，受信部２３，バッテリ部２４及びバイタルデータ記憶部２５を有している。
制御部２２は、各バイタルデータ測定器１に対し、バイタルデータを発信することを指示する制御信号を発信部２１に発信させる。
【００２６】
また、制御部２２は、バイタルデータが正常に受信できた否かを示す制御信号を、各バイタルデータ測定器１に対して発信部２１に発信させる。
受信部２３は、各バイタルデータ測定器１から、それぞれが測定したバイタルデータを、各バイタルデータ測定器１の識別番号とともに受信する。
バイタルデータ記憶部２５は、各バイタルデータ測定器の識別番号毎に対応して、各利用者の氏名，測定されたバイタルデータが記憶されている。
【００２７】
次に、図１，図２，図３及び図４を参照し、本発明の第１の実施形態によるバイタルデータ監視システムの動作の説明を行う。図４は、本発明の第１の実施形態によるバイタルデータ監視システムの動作例を示すフローチャートである。以下、測定するバイタルデータを心拍数とし、発電素子１６が圧電素子で構成されているとして説明する。
利用者がバイタルデータ測定器１を所定のバイタルデータ、例えば心拍数の測定が可能な状態で身につけ、運動を開始する。これにより、バイタルデータ測定器１が運動量に比例して振動し（ステップＳ１）、発電部１５において、この振動により圧電素子である発電素子１６に振動に同期して圧力が印加され、所定の電荷（電気エネルギ）が発生する（ステップＳ２）。
【００２８】
次に、発電素子１６で発生した電荷がコンデンサ部１７に蓄積、すなわち電気エネルギが充電されて、コンデンサの両端の電圧値が増加する（ステップＳ３）。
そして、コンデンサ部１７のコンデンサの両端の電圧が所定の電圧値、例えば、測定部１１の脈拍センサが駆動可能な電圧となると、測定部１１はバイタルデータとして、脈拍の測定を行い（ステップＳ４）、測定したバイタルデータを記憶部１４へ記憶する（ステップＳ５）。ここで、測定部１１は、内部のタイマーの時間に対応して、１分間の脈拍の回数を測定し、記憶部１４において、前回に測定したバイタルデータの値に上書きして記憶する。
【００２９】
次に、受信部２３は、バイタルデータ監視装置２から、バイタルデータの発信指示を示す制御信号を入力すると、このことを示す発信信号を制御部１８へ出力する。
これにより、制御部１８は、上記発信信号を入力すると、タイマによる計数を開始するとともに、コンデンサ部１７のコンデンサの両端の電圧値を測定する（ステップＳ６）。
そして、制御部１８は、測定したコンデンサの両端の電圧値から既に述べた計算により乱数を発生し、この乱数に所定の単位の時間を乗算して、発信タイミングを計算する（ステップＳ７）。
【００３０】
次に、制御部１８は、計算した発信タイミングを、タイマの計数する時間が超えたか否かの検出を行い、発信タイミングをタイマの計数する時間が超えないことを検出した場合、ステップＳ８を繰り返し、発信タイミングをタイマの計数する時間が超えたことを検出した場合、処理をステップＳ９へ進める（ステップＳ８）。
そして、制御部１８は、記憶部１８からバイタルデータ及び識別番号を読み出し、発信部１２を介して、バイタルデータ監視装置２へ発信する（ステップＳ９）。
【００３１】
また、バイタル監視装置２は、正常にバイタルデータが受信できたバイタルデータ測定器１に対して、正常にバイタルデータが受信できたことを示す確認信号を発信し、対応するバイタルデータ測定器１に対して、次のバイタルデータの収集タイミング（バイタルデータの発信を指示する制御信号の発信タイミング）まで、バイタルデータの発信を停止させる。
ここで、バイタルデータ測定器１において、制御部１８は上記確認信号が受信部１３により受信されたか否かの検出を行い、確信信号が受信されたことを検出した場合、処理をステップＳ１に戻し、一方、確認信号が受信されないことを検出した場合、タイマをリセットし、新たに計数を開始させて、処理をステップＳ８へ戻す（ステップＳ１０）。
【００３２】
＜第２の実施形態＞
図５は第２の実施形態によるバイタルデータ監視システムの構成例を示す概念図である。この図５におけるバイタルデータ測定器１及びバイタルデータ監視装置２の構成は、第１の実施形態による図２，図３の構成と同様である。以下、第１の実施形態と異なる構成及び機能を説明する。
異なる点として、利用者が運動するマット３０が圧電素子の集合体により形成されており、利用者の体のいずれかの部分がマット３０を加圧することにより発生する電気エネルギが施設内の蓄電池３２の充電等に用いられ、電力量メータ３１により発生される電気エネルギの電力量を測定する。
【００３３】
そして、各利用者に携帯されているバイタルデータ測定器１からは、発信タイミング毎に、測定部１１により測定されたバイタルデータと、各バイタルデータ測定器１の識別番号とともに、コンデンサ部１７のコンデンサの両端の電圧値が電圧データとして発信される。
これにより、バイタルデータ監視装置２において、制御部２２は、バイタルデータ測定器１の上記識別番号毎に対応させて、測定部１１により測定されたバイタルデータと、コンデンサ部１７のコンデンサの両端の電圧値が電圧データとを、バイタルデータ記憶部２５に記憶する。
【００３４】
次に、制御部２２は、以下に示す（１）式により、各バイタルデータ測定器１を携帯している利用者に与えられるポイント数Ｐを計算する。この（１）式において、Ｐxは利用者名「ｘ」の利用者が得られるポイント数、Ｖxは利用者名「ｘ」の識別番号に対応するバイタルデータ測定器１から送信されたコンデンサの電圧データ，Ｅは所定の期間において発電され電力量データ３１により測定される総電力量であり、ΣＶi２はバイタルデータ監視装置１が確認した全てのバイタルデータ測定器１からのコンデンサの電圧データを各々２乗して加算した値である。
【００３５】
【数１】
2006305216.tif 000003
【００３６】
そして、制御部２２は、計算されたポイントＰxを、バイタルデータ記憶部２５に識別番号に対応させて記憶する。
また、このとき、制御部２２は、ポイントＰxがすでに記憶されていた場合、記憶されていたポイント数に対し、新たなポイント数を加算して記憶する。
制御部２２は、利用者がこのポイントを使用しない限り、ポイント数を減少させることはない。
【００３７】
＜第３の実施形態＞
図６は第３の実施形態によるバイタルデータ監視システムの構成例を示す概念図である。この図６におけるバイタルデータ測定器１及びバイタルデータ監視装置２の構成は、第１及び第２の実施形態による図２，図３の構成と同様である。以下、第１及び第２の実施形態と異なる構成及び機能を説明する。
第２の実施形態と異なる点は、ポイント数Ｐを算出する電力を、マット３０により発電するのではなく、利用者が走る部分である走行ベルトに圧電素子を設けて、走行時の利用者の足踏みにより圧電素子にて発電するランニングマシン４０，ペダルの回転を電磁誘導または静電誘導により発電する回転型発電機が設けられたエアロバイク４１やローイングマシン４２等のトレーニングマシンにより発電する。これらのトレーニングマシンは、図１のバイタルデータ測定器１と同様な構成をしている。
【００３８】
そして、利用者がトレーニングマシンにより運動を開始すると、トレーニングマシンは発電を開始し、所定の電圧となる電荷（電気エネルギ）がコンデンサ部１７に充電されると、バイタルデータ測定器１に対して、トレーニングマシンを識別するマシンＩＤとともにトリガ信号を発信する。
これにより、バイタルデータ測定器１は、トリガ信号が入力されると第１の実施形態と同様に計算された発信タイミングを用い、トリガ信号からこのタイミング信号が経過したことを検出して、、測定部１１の測定したバイタルデータ，自身の識別番号及びトリガ信号に付加されたマシンＩＤ信号を、バイタルデータ監視装置２に対して発信する。
【００３９】
次に、バイタルデータ監視装置２において、制御部２２は入力されるバイタルデータを所定の閾値以上であるか否かの検出を行い、閾値以上である場合、対応するマシンＩＤのトレーニングマシンからの電力量の測定を行い、閾値に達していない場合、この処理を終了する。
そして、制御部２２は、バイタルデータが閾値以上の値であることを検出すると、受信したマシンＩＤのトレーニングマシンの発電する電力量を電力量メータ３１により測定する。ここで、電力量メータ３１は各トレーニングマシン毎に設けられている。
【００４０】
次に、制御部２２は測定された電力量そのもの、または所定の係数を乗算した数値を、対応する利用者のポイント数Ｐとする。
そして、制御部２２は、得られたポイント数Ｐを利用者の識別番号に対応させて、バイタルデータ記憶部２５に記憶する。この記憶処理は、第２の実施形態と同様である（発電量に応じてポイント数を利用者に還元する）。
また、発電された電力は、電力量メータ３１を介して、蓄電池３２に蓄えられて、配電器３３により、電灯やその他の電気機器に供給される。
サーバ３は、利用者が関連店舗等でポイント数Ｐを使用すると、バイタルデータ監視装置２のバイタルデータ記憶部２５における識別番号に対応するポイント数Ｐから、使用したポイント数を減算して、ポイント数Ｐの利用の管理を行う。
【００４１】
なお、図１におけるバイタルデータ測定器１及びバイタルデータ監視装置２におけるバイタルデータの取得及び監視並びにポイント数の管理の機能を実現するためのプログラムをコンピュータ読み取り可能な記録媒体に記録して、この記録媒体に記録されたプログラムをコンピュータシステムに読み込ませ、実行することによりバイタルデータの取得及び監視並びにポイント数の管理の処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４３】
【図１】本発明の第１の実施形態によるバイタルデータ監視システムの構成例を示す概念図である。
【図２】図１におけるバイタルデータ測定器１の構成例を示すブロック図である。
【図３】図１におけるバイタルデータ監視装置２の構成例を示すブロック図である。
【図４】図１におけるバイタルデータ測定器１の動作例を示すフローチャートである。
【図５】本発明の第２の実施形態によるバイタルデータ監視システムの構成例を示す概念図である。
【図６】本発明の第３の実施形態によるバイタルデータ監視システムの構成例を示す概念図である。
【符号の説明】
【００４４】
１…バイタルデータ測定器
２…バイタルデータ監視装置
３…サーバ
１１…測定部
１２，２１…発信部
１３，２３…受信部
１４…記憶部
１５…発電部
１６…発電素子
１７…コンデンサ部
１８，２２…制御部
１９，２４…バッテリ部
２１…測定部
２５…バイタルデータ記憶部
３０…マット
３１…電力量メータ
３２…蓄電池
３３…配電器
【図１】
2006305216.tif 000004
【図２】
2006305216.tif 000005
【図３】
2006305216.tif 000006
【図４】
2006305216.tif 000007
【図５】
2006305216.tif 000008
【図６】
2006305216.tif 000009